(57)【要約】【課題】路床の地盤に緩みを生じさせることを防止し、適切に雨水を処理することのできる雨水貯留浸透システムを提供する。【解決手段】地中に埋設されて道路Ｍの表面から流下した雨水を一時的に貯留するとともに外部に放出し浸透させる雨水貯留浸透槽１を備えた雨水貯留浸透システムＡにおいて、前記雨水が所定の方向へ浸透することを防止して前記雨水の浸透方向を規制する遮水部材５０を備えていることを特徴とする。【選択図】図１
2014095274.tif 000002
【特許請求の範囲】
【請求項１】
地中に埋設されて道路の表面から流下した雨水を一時的に貯留するとともに外部に放出し浸透させる雨水貯留浸透槽を備えた雨水貯留浸透システムにおいて、
前記雨水が所定の方向へ浸透することを防止して前記雨水の浸透方向を規制する遮水部材を備えていることを特徴とする雨水貯留浸透システム。
【請求項２】
前記遮水部材は、シート状に形成されたものであることを特徴とする請求項１に記載の雨水貯留浸透システム。
【請求項３】
前記遮水部材は、前記雨水貯留浸透槽の前記道路の中央に対向する面に配設されていることを特徴とする請求項１又は２に記載の雨水貯留浸透システム。
【請求項４】
前記遮水部材は、前記道路の幅方向中央に対向する面からこの面に連設する前記雨水貯留浸透槽の他の面に回り込んで配設されていることを特徴とする請求項３に記載の雨水貯留浸透システム。
【請求項５】
前記遮水部材は、前記雨水貯留浸透槽の外周部に配された砕石層の外側に配設されていることを特徴とする請求項１から４のいずれか１項に記載の雨水貯留浸透システム。
【請求項６】
前記砕石層の内側又は外側の少なくともいずれか一方には、透水性を備えた保護層が配設されていることを特徴とする請求項５に記載の雨水貯留浸透システム。
【発明の詳細な説明】
【技術分野】
【０００１】
本発明は、雨水貯留浸透システムに関する。
【背景技術】
【０００２】
従来より、例えば道路の路肩下方に埋設され、雨水を一時的に貯留し、その後、外部に放出して地中に緩やかに浸透させるための雨水貯留浸透システムが知られている（例えば下記特許文献１）。
上記の雨水貯留浸透システムは、雨水貯留浸透槽を備えている。雨水貯留浸透層は、枠状の部材の内側に、複数の細孔が形成されるとともに水流を形成する勾配をもって傾斜板が配置された組み付け部材を水平方向及び鉛直方向に積載し、大雨時等に雨水を地中で一時的に貯留させる空間を形成したものである。そして、不透水性のアスファルト等で覆われた道路に沿って設けられた側溝や、路肩に設けられた透水性の舗装路面を経由して地中に流入した雨水を前記雨水貯留浸透槽により形成された空間内に貯留し、前記細孔部を通じて雨水を雨水貯留浸透槽の側方及び下方に緩やかに放出し地中に浸透させるようになっている。
雨水貯留浸透システムは、上記のようにして大雨時等に雨水の地中への浸透が間に合わず側溝が溢水して道路が浸水することを防止することができるようになっている。
【先行技術文献】
【特許文献】
【０００３】
【特許文献１】特開２００７−１６５８２号公報
【発明の概要】
【発明が解決しようとする課題】
【０００４】
ところで、上記の雨水貯留浸透システムは、雨水貯留浸透槽の側面及び底面から雨水を放出し周囲に浸透させるようになっているが、路床側に雨水を浸透させると、路床の緩みを促進してしまい兼ねないという問題があった。
また、路床の地盤が緩い場合には、薬品により地盤を固める等の地盤改良を行うことで地盤を硬化させることができるが、その場合、地盤の浸透能力を低下させてしまうという問題があった。
そこで、本発明は、上記課題に鑑み、路床の地盤に緩みを生じさせることを防止し、適切に雨水を処理することのできる雨水貯留浸透システムを提供することを課題とする。
【課題を解決するための手段】
【０００５】
本発明は、地中に埋設されて道路の表面から流下した雨水を一時的に貯留するとともに外部に放出し浸透させる雨水貯留浸透槽を備えた雨水貯留浸透システムにおいて、前記雨水が所定の方向へ浸透することを防止して前記雨水の浸透方向を規制する遮水部材を備えていることを特徴とする。
本発明によれば、雨水貯留浸透槽から浸透する雨水のうち、浸透させたくない方向へ浸透しようとする雨水を遮水部材によって遮水することができるので、雨水貯留浸透槽によって雨水を浸透させる方向を所望の方向に導くことができる。
【０００６】
本発明は、前記遮水部材は、シート状に形成されたものであることが好ましい。
本発明によれば、遮水部材の施工性がよい。
【０００７】
本発明は、前記遮水部材が、前記雨水貯留浸透槽の前記道路中央に対向する面に配設されていることが好ましい。
本発明によれば、例えば道路を形成する路床の地盤が弱い場合に、この路床側に雨水が浸透することを抑制することができる。
【０００８】
本発明は、前記遮水部材が、前記道路の幅方向中央に対向する面からこの面に連設する前記雨水貯留浸透槽の他の面に回り込んで配設されていることが好ましい。
本発明によれば、前記雨水貯留浸透槽の他の面から浸透した雨水が、道路中央側の路床に及ぶことが防止される。
【０００９】
本発明は、前記遮水部材が、前記雨水貯留浸透槽の外周部に配された砕石層の外側に配設されていることが好ましい。
本発明によれば、雨水貯留浸透槽の外周の砕石層によって雨水を保有し地中に浸透させる空間を拡大して効率的に雨水を浸透させることができるとともに、雨水を浸透させる方向を所望の方向に導くことができる。
【００１０】
本発明は、前記砕石層の内側又は外側の少なくともいずれか一方に、透水性を備えた保護層が配設されていることが好ましい。
本発明によれば、砕石層から雨水貯留浸透槽又は遮水シートを保護することができる。
【発明の効果】
【００１１】
本発明の雨水貯留浸透システムによれば、遮水シートを備えていることにより、雨水貯留浸透槽によって雨水を浸透させる方向を所望の方向に導くことができ、雨水の浸透能力の低下を極力抑えかつ路床の緩みを発生させることを防止することができるという効果を奏する。
【図面の簡単な説明】
【００１２】
【図１】本発明の一実施形態として示した雨水貯留浸透システムを示した図であり、（ａ）はその正面図、（ｂ）はその平面図、（ｃ）はその側面図である。
【図２】本発明の一実施形態による雨水貯留浸透槽の構成を示す斜視図である。
【図３】図１に示すＡ−Ａ線矢視図であって、雨水貯留浸透槽の正面図である。
【図４】本発明の一実施形態として示した雨水貯留浸透システムの他の例を示した図であり、（ａ）はその正面図、（ｂ）はその平面図、（ｃ）はその側面図である。
【発明を実施するための形態】
【００１３】
以下、図を参照して本発明の雨水貯留浸透システムの実施形態について説明する。
図１は、一実施形態として示した雨水貯留浸透システムＡを示している。
雨水貯留浸透システムＡは、道路Ｍの路肩や道路Ｍ脇の不図示の側溝の下方に埋設されるものであり、雨水貯留浸透槽１とこの雨水貯留浸透槽１の側面１ａに配設される遮水シート（遮水部材）５０を備えている。
【００１４】
雨水貯留浸透槽１は、例えば射出成形によって形成されるポリプロピレンなどの合成樹脂からなる部材であり、図１（ａ）〜（ｃ）に示すように、水平方向に下部組付け部材３が複数隣接配置された上方に、鉛直方向に上部組付け部材２を複数段積載されることで、地中に複数の内部空間Ｒからなる雨水の一時的な貯留空間を形成している。
【００１５】
図２，図３に示すように、上部組付け部材２は、平面視矩形状（ここでは正方形状）でＸ方向に勾配を有する傾斜板２１を備え、その四隅の角部において上下双方に突出する嵌合継手２２が形成されている。傾斜板２１の４辺をなす外周縁部のうち３箇所には、周壁部２３が形成され、周壁部２３が形成されていない１辺の部分は開口部２４とされている。
【００１６】
傾斜板２１は、図示しない細孔が複数設けられており、傾斜板２１上を流通する雨水の一部が前記細孔を通過して下段の上部組付け部材２又は下部組付け部材３側へ流下するようになっている。開口部２４は傾斜板２１の下端側に設けられ、雨水が開口部２４に向かって流れ、開口部側に隣接配置された上側組付け部材２へ雨水を流下させるようになっている。
【００１７】
また、傾斜板２１の裏面には、この傾斜板２１を補強する不図示のリブが形成されている。
嵌合継手２２は、三角柱状で傾斜板２１に対して上方及び下方に向けて突出している。嵌合継手２２の上側部分は、雌型嵌合継手２２Ａをなし、下側部分が雄型嵌合継手２２Ｂをなしている。本実施の形態では雄型嵌合継手２２Ｂが下部組付け部材３の後述する雌型の嵌合継手３４に嵌合するようになっている。
【００１８】
下部組付け部材３は、上部組付け部材２と同形状の平面視で矩形状（ここでは正方形状）の底板３１を備えている。底板３１の外周縁部には、その全周にわたって周壁部３２が立設され、平面視で周壁部３２の内側に中央リブ３３が設けられている。
なお、図２では、幅方向Ｗに沿う中央リブ３３の一部が見えている。周壁部３２および中央リブ３３は同じ高さで設けられ、これらの上端を含む平面の四隅の角部において、三角柱状で上方に突出する嵌合継手３４が形成されている。嵌合継手３４は、上端に凹部が形成された雌型の継手部であり、上部組付け部材２の雄型嵌合継手２２Ｂと嵌合するようになっている。なお、嵌合継手３４は、底板３１と周壁部３２，中央リブ３３とからなるブロック体に対して一体でも別体でもよい。
【００１９】
下部組付け部材３の周壁部３２及び中央リブ３３を含む平面上の幅方向Ｗの中央には、集砂受枠４が長さ方向Ｘに沿って載置されている。集砂受枠４は、長さ方向Ｘの一端側と他端側のそれぞれにおいて、幅方向Ｗで一対の嵌合継手３４、３４同士の間に配置されている。また、集砂受枠４の上方には、この集砂受枠４を固定する連結部材１０が配置されている。
【００２０】
集砂受枠４は、雨水とともに流入した土砂を集積するものであり、水平方向に配列された複数の下部組付け部材３の全体に亘って連続するように配置されている。この集砂受枠４は、底板４１及びその両側端から立ち上がる側板４２、４２を有し、各上端において外側に形成された上縁カール部４３が設けられている。この集砂受枠４は、嵌合継手３４の上端よりも低い位置となる高さ寸法となっている。
【００２１】
図１に示すように、集砂受枠４の両端部が位置する下部組付け部材３には、集砂受枠４内に流下した土砂の堆積状態を確認する点検口５１，５１が設置されている。
【００２２】
以上の構成により、下部組付け部材３がＸ方向に複数隣接配置されるとともに嵌合継手３４、３４同士の間に長尺の集砂受枠４が設置され、この下部組付け部材３，３・・上に嵌合継手３４を介して上部組付け部材２が複数段積層されて雨水貯留浸透槽１が不図示の道路Ｍの路肩下方の地中に埋設されている。
そして、最上段に位置する一の上部組付け部材２には、不図示の側溝から流下した雨水を収集する集水ますＴが連結され、この集水ますＴから雨水を収集して雨水貯留浸透槽１に流入させるようになっている。
【００２３】
雨水貯留浸透槽１の下方及び側方（外周部）には雨水貯留浸透槽１を取り囲むように砕石層５２が設けられており、雨水貯留浸透槽１から放出された雨水をその外方へ浸透させるようになっている。
また、雨水貯留浸透槽１の底板３１面及び側面の全周面には、透水性を備えた保護シート（保護層）５４が敷設され、雨水貯留浸透槽１を保護するとともに内部空間Ｒに砕石５２が侵入することを防止している。また、砕石層５２の底面及び側面の全周面には保護シート（保護層）５３が敷設され、砕石層５２を保持するとともに遮水シート５０を路床から保護するようになっている。
【００２４】
遮水シート５０は、砕石層５２の外側であって、道路Ｍの幅方向中央側に対向する雨水貯留浸透槽１の側面１ａに、砕石層５２に浸透した雨水が道路Ｍ下方の路床に浸透しないように、雨水の浸透方向を規制するように配されている。
遮水シート５０の材質は特に限定されないが、塩ビ、ゴム、オレフィン系樹脂によりシート状に形成されていることが好ましい。遮水シート５０の厚さは、遮水シート５０が可撓性を有するように設定されていれば特に限定されるものではないが、０．５ｍｍ〜２ｍｍ程度に形成されていることが望ましい。
【００２５】
次に、雨水貯留浸透システムＡの施工方法について説明する。
雨水貯留浸透システムＡを地中に設置するにあたっては、図１（ｃ）に示すように、道路Ｍの不図示の側溝が設けられた路肩等の適切な領域の土砂を採掘し、雨水貯留浸透システムＡの設置空間Ｓを形成する。
そして、前記設置空間Ｓを形成する壁部Ｓ１の全体に透水性を備えた保護シート５３を配し、ピン等の固定具によって貼り付ける。
【００２６】
次に、雨水を浸透させたくない方向、例えば地盤が弱い道路Ｍ下の路床に対向する側面に遮水シート５０を貼り付け、更に組み立てられた雨水貯留浸透槽１の最下面及び側面の全面を覆い得る大きさに形成された透水性を備えた保護シート５４の前記最下面に位置する部分を底部に合わせて敷設する。
その上で、雨水貯留浸透槽１を組み立て、保護シート５４の側面に沿わせる部分を組み立てられた雨水貯留浸透槽１，１・・の側面に沿って巻き上げる。
そして、雨水貯留浸透槽１を覆った保護シート５４と設置空間Ｓを形成する壁Ｓ１との間隙に砕石５２を詰め、雨水貯留浸透槽１の上方に土砂を埋め戻して雨水貯留浸透システムＡの設置が完了する。
【００２７】
以上のように、雨水貯留浸透システムＡによれば、雨水を浸透させたくない方向に遮水シート５０が設けられているため、雨水貯留浸透槽１によって雨水を浸透させる方向を所望の方向に導くことができ、雨水の浸透能力の低下を極力抑えかつ路床の緩みを発生させることを防止することができるという効果が得られる。
特に、道路Ｍを形成する路床の地盤が弱い場合にこの路床側に雨水が浸透することを抑制することができるという効果が得られる。
また、雨水貯留浸透槽１の外周の砕石層５２によって雨水を保有し地中に浸透させる空間を拡大して効率的に雨水を浸透させることができるとともに、雨水を浸透させる方向を所望の方向に導くことができるという効果が得られる。
また更に、砕石層５２から雨水貯留浸透槽１又は遮水シート５０を保護することができるという効果が得られる。
【００２８】
なお、上記の実施形態においては、雨水貯留浸透槽１及び遮水シート５０を含む雨水貯留浸透槽１を囲繞し得る透水性を備えた保護シート５３，５４を備えた構成とされているが、保護シート５３，５４は必ずしも設けられていなくてもよい。
また、上記の実施形態において、遮水シート５０は、道路Ｍ下の路床に対向する側面１ａに配置された構成とされているが、路床に対向する側面１ａ以外の面に浸透した雨水が道路下の路床に回り込むことを防止すべく、図４に示すように、遮水シート５０を路床に対向する側面１ａに連設された面に回り込んで配するとより好ましい。又は、遮水シート５０を雨水貯留浸透槽１の側面１ａよりも大きく設置して、雨水の所定の方向への回り込みを防止するものであってもよい。
また更に、雨水貯留浸透システムＡは、上記した構成を有する雨水貯留浸透槽１に遮水シート５０を敷設したもの限定されるものではなく、雨水を集水して漸次その周囲に浸透させるものであれば上記雨水貯留浸透槽１以外の雨水貯留浸透槽が適用されたものであってもよい。
【符号の説明】
【００２９】
Ａ    雨水貯留浸透システム
１    雨水貯留浸透槽
１ａ  路床に対向する面
５０  遮水シート
５２  砕石層
Ｍ    道路
【図１】
2014095274.tif 000003
【図２】
2014095274.tif 000004
【図３】
2014095274.tif 000005
【図４】
2014095274.tif 000006